(57)【特許請求の範囲】
【請求項１】
タッチパネルにおけるタッチ操作によって選択値を変更及び決定するタッチ入力判定装置であって、
操作手を決定するための第１のタッチ操作に基づく信号を受け取り、前記第１のタッチ操作に基づく信号から、前記選択値の変更のための第２のタッチ操作を行う操作手が右手又は左手のいずれであるかを示す操作手情報を出力する操作手決定部と、
前記選択値の変化方向が増加方向又は減少方向のいずれであるかを示す変化方向情報を受け取り、
前記操作手情報が示す操作手が左手であり前記変化方向情報が示す前記変化方向が増加方向である場合に、前記第２のタッチ操作が右回転の回転操作であるときの変化量である右回転変化量を第１の負の値に設定し、前記第２のタッチ操作が左回転の回転操作であるときの変化量である左回転変化量を第１の正の値に設定し、
前記操作手情報が示す操作手が左手であり前記変化方向情報が示す前記変化方向が減少方向である場合に、前記右回転変化量を第２の正の値に設定し、前記左回転変化量を第２の負の値に設定し、
前記操作手情報が示す操作手が右手であり前記変化方向情報が示す前記変化方向が増加方向である場合に、前記右回転変化量を第３の正の値に設定し、前記左回転変化量を第３の負の値に設定し、
前記操作手情報が示す操作手が右手であり前記変化方向情報が示す前記変化方向が減少方向である場合に、前記右回転変化量を第４の負の値に設定し、前記左回転変化量を第４の正の値に設定する、回転方向判定部と、
前記第２のタッチ操作が右回転の回転操作であるときに、現在の選択値に前記右回転変化量を加算して得られた値を変更後の新たな選択値とし、前記第２のタッチ操作が左回転の回転操作であるときに、現在の前記選択値に前記左回転変化量を加算して得られた値を変更後の新たな選択値とする選択値変更部と、
前記タッチパネルにおける第３のタッチ操作にしたがって前記新たな選択値を現在の選択値に決定する選択値決定部と
を有することを特徴とするタッチ入力判定装置。
【請求項２】
前記操作手の決定のタッチ操作に関する情報、前記決定した操作手に関する情報、現在の選択値に関する情報、及び変更後の現在の選択値に関する情報の内の１つ以上を通知する音声を音声出力装置から出力させる通知部をさらに有することを特徴とする請求項１に記載のタッチ入力判定装置。
【請求項３】
前記操作手の決定のタッチ操作に関する情報、前記決定した操作手に関する情報、現在の選択値に関する情報、及び変更後の現在の選択値に関する情報の内の１つ以上を前記タッチパネルに表示させる表示制御部をさらに有することを特徴とする請求項１又は２に記載のタッチ入力判定装置。
【請求項４】
前記第１から第４の正の値は、互いに同じ値であり、
前記第１から第４の負の値は、互いに同じ値である
ことを特徴とする請求項１から３のいずれか１項に記載のタッチ入力判定装置。
【請求項５】
タッチ操作を受け付けるタッチパネルと、
前記タッチ操作によって選択値を変更及び決定するタッチ入力判定装置と、
を備え、
前記タッチ入力判定装置は、
操作手を決定するための第１のタッチ操作に基づく信号を受け取り、前記第１のタッチ操作に基づく信号から、前記選択値の変更のための第２のタッチ操作を行う操作手が右手又は左手のいずれであるかを示す操作手情報を出力する操作手決定部と、
前記選択値の変化方向が増加方向又は減少方向のいずれであるかを示す変化方向情報を受け取り、
前記操作手情報が示す操作手が左手であり前記変化方向情報が示す前記変化方向が増加方向である場合に、前記第２のタッチ操作が右回転の回転操作であるときの変化量である右回転変化量を第１の負の値に設定し、前記第２のタッチ操作が左回転の回転操作であるときの変化量である左回転変化量を第１の正の値に設定し、
前記操作手情報が示す操作手が左手であり前記変化方向情報が示す前記変化方向が減少方向である場合に、前記右回転変化量を第２の正の値に設定し、前記左回転変化量を第２の負の値に設定し、
前記操作手情報が示す操作手が右手であり前記変化方向情報が示す前記変化方向が増加方向である場合に、前記右回転変化量を第３の正の値に設定し、前記左回転変化量を第３の負の値に設定し、
前記操作手情報が示す操作手が右手であり前記変化方向情報が示す前記変化方向が減少方向である場合に、前記右回転変化量を第４の負の値に設定し、前記左回転変化量を第４の正の値に設定する、回転方向判定部と、
前記第２のタッチ操作が右回転の回転操作であるときに、現在の選択値に前記右回転変化量を加算して得られた値を変更後の新たな選択値とし、前記第２のタッチ操作が左回転の回転操作であるときに、現在の前記選択値に前記左回転変化量を加算して得られた値を変更後の新たな選択値とする選択値変更部と、
前記タッチパネルにおける第３のタッチ操作にしたがって前記新たな選択値を現在の選択値に決定する選択値決定部と、を有する
ことを特徴とするタッチパネル入力装置。
【請求項６】
タッチパネルにおけるタッチ操作によって選択値を変更及び決定するタッチ入力判定装置が行うタッチ入力判定方法であって、
操作手を決定するための第１のタッチ操作に基づく信号を受け取り、前記第１のタッチ操作に基づく信号から、前記選択値の変更のための第２のタッチ操作を行う操作手が右手又は左手のいずれであるかを示す操作手情報を出力するステップと、
前記選択値の変化方向が増加方向又は減少方向のいずれであるかを示す変化方向情報を受け取るステップと、
前記操作手情報が示す操作手が左手であり前記変化方向情報が示す前記変化方向が増加方向である場合に、前記第２のタッチ操作が右回転の回転操作であるときの変化量である右回転変化量を第１の負の値に設定し、前記第２のタッチ操作が左回転の回転操作であるときの変化量である左回転変化量を第１の正の値に設定し、
前記操作手情報が示す操作手が左手であり前記変化方向情報が示す前記変化方向が減少方向である場合に、前記右回転変化量を第２の正の値に設定し、前記左回転変化量を第２の負の値に設定し、
前記操作手情報が示す操作手が右手であり前記変化方向情報が示す前記変化方向が増加方向である場合に、前記右回転変化量を第３の正の値に設定し、前記左回転変化量を第３の負の値に設定し、
前記操作手情報が示す操作手が右手であり前記変化方向情報が示す前記変化方向が減少方向である場合に、前記右回転変化量を第４の負の値に設定し、前記左回転変化量を第４の正の値に設定する、ステップと、
前記第２のタッチ操作が右回転の回転操作であるときに、現在の選択値に前記右回転変化量を加算して得られた値を変更後の新たな選択値とし、前記第２のタッチ操作が左回転の回転操作であるときに、現在の前記選択値に前記左回転変化量を加算して得られた値を変更後の新たな選択値とするステップと、
前記タッチパネルにおける第３のタッチ操作にしたがって前記新たな選択値を現在の選択値に決定するステップと
を有することを特徴とするタッチ入力判定方法。
【請求項７】
コンピュータに、タッチパネルにおけるタッチ操作によって選択値を変更及び決定するタッチ入力判定方法を実行させるためタッチ入力判定プログラムであって、
前記コンピュータに、
操作手を決定するための第１のタッチ操作に基づく信号を受け取り、前記第１のタッチ操作に基づく信号から、前記選択値の変更のための第２のタッチ操作（Ｓ１３〜Ｓ１５）を行う操作手が右手又は左手のいずれであるかを示す操作手情報を出力する処理と、
前記選択値の変化方向が増加方向又は減少方向のいずれであるかを示す変化方向情報を受け取る処理と、
前記操作手情報が示す操作手が左手であり前記変化方向情報が示す前記変化方向が増加方向である場合に、前記第２のタッチ操作が右回転の回転操作であるときの変化量である右回転変化量を第１の負の値に設定し、前記第２のタッチ操作が左回転の回転操作であるときの変化量である左回転変化量を第１の正の値に設定し、
前記操作手情報が示す操作手が左手であり前記変化方向情報が示す前記変化方向が減少方向である場合に、前記右回転変化量を第２の正の値に設定し、前記左回転変化量を第２の負の値に設定し、
前記操作手情報が示す操作手が右手であり前記変化方向情報が示す前記変化方向が増加方向である場合に、前記右回転変化量を第３の正の値に設定し、前記左回転変化量を第３の負の値に設定し、
前記操作手情報が示す操作手が右手であり前記変化方向情報が示す前記変化方向が減少方向である場合に、前記右回転変化量を第４の負の値に設定し、前記左回転変化量を第４の正の値に設定する、処理と、
前記第２のタッチ操作が右回転の回転操作であるときに、現在の選択値に前記右回転変化量を加算して得られた値を変更後の新たな選択値とし、前記第２のタッチ操作が左回転の回転操作であるときに、現在の前記選択値に前記左回転変化量を加算して得られた値を変更後の新たな選択値とする処理と、
前記タッチパネルにおける第３のタッチ操作にしたがって前記新たな選択値を現在の選択値に決定する処理と
を実行させることを特徴とするタッチ入力判定プログラム。
【発明の詳細な説明】
【技術分野】
【０００１】
本発明は、タッチパネルにおけるタッチ操作によって選択値を変更及び決定するためのタッチ入力判定装置、タッチパネル入力装置、タッチ入力判定方法、及びタッチ入力判定プログラムに関する。
【背景技術】
【０００２】
ユーザがタッチパネル上で行うタッチ操作（「タッチジェスチャ操作」とも言う）としては、タップ、ダブルタップ、タッチパネルを指でなぞる操作（指を滑らす操作）であるスワイプ、タッチパネル上で指を円を描くように動かす操作である回転操作（「回転ジェスチャ」とも言う）などがある。【０００３】
例えば、特許文献１は、ユーザが、タッチパネルに表示された仮想音量ノブを制御するために２本の指で回転操作を行い、音量を増大又は減少させる方法を記載している。ユーザは仮想音量ノブを右回転させるように指で右回転操作を行うことで音量を増加させ、仮想音量ノブを左回転させるように指で左回転操作を行うことで音量を減少させる。また、特許文献２は、エレベータの行先階を示す数字をタッチパネル上で手書きで入力することで、行先階を指定する方法を記載している。
【先行技術文献】
【特許文献】
【０００４】
【特許文献１】特許第５４５６５２９号公報（例えば、段落００５８、図６Ａ）
【特許文献２】国際公開第２００８／１５５８３６号（例えば、段落００３０、図４）
【発明の概要】
【発明が解決しようとする課題】
【０００５】
ところで、タッチパッチパネル上で行う回転操作に関して、左利きのユーザは、左手で左回転の回転操作を行うことが容易であり、左手で右回転の回転操作を行うことは少し困難である。また、右利きのユーザは、右手で右回転の回転操作を行うことが容易であり、右手で左回転の回転操作を行うことは少し困難である。【０００６】
しかしながら、特許文献１に記載の方法では、タッチパネル上で行う回転操作の回転方向が固定されているので、左利きのユーザは左回転の回転操作と同程度の頻度で右回転の回転操作を行う必要があり、右利きのユーザは右回転の回転操作と同程度の頻度で左回転の回転操作を行う必要があり、ユーザは不便を感じることが多いという課題がある。【０００７】
本発明は、上記課題を解決するためになされたものであり、左利きのユーザ及び右利きのユーザのいずれのユーザも回転操作における不便を軽減することができるタッチ入力判定装置、タッチパネル入力装置、タッチ入力判定方法及びタッチ入力判定プログラムを提供することを目的とする。
【課題を解決するための手段】
【０００８】
本発明の一態様に係るタッチ入力判定装置は、タッチパネルにおけるタッチ操作によって選択値を変更及び決定する装置であって、操作手を決定するための第１のタッチ操作に基づく信号を受け取り、前記第１のタッチ操作に基づく信号から、前記選択値の変更のための第２のタッチ操作を行う操作手が右手又は左手のいずれであるかを示す操作手情報を出力する操作手決定部と、前記選択値の変化方向が増加方向又は減少方向のいずれであるかを示す変化方向情報を受け取り、前記操作手情報が示す操作手が左手であり前記変化方向情報が示す前記変化方向が増加方向である場合に、前記第２のタッチ操作が右回転の回転操作であるときの変化量である右回転変化量を第１の負の値に設定し、前記第２のタッチ操作が左回転の回転操作であるときの変化量である左回転変化量を第１の正の値に設定し、前記操作手情報が示す操作手が左手であり前記変化方向情報が示す前記変化方向が減少方向である場合に、前記右回転変化量を第２の正の値に設定し、前記左回転変化量を第２の負の値に設定し、前記操作手情報が示す操作手が右手であり前記変化方向情報が示す前記変化方向が増加方向である場合に、前記右回転変化量を第３の正の値に設定し、前記左回転変化量を第３の負の値に設定し、前記操作手情報が示す操作手が右手であり前記変化方向情報が示す前記変化方向が減少方向である場合に、前記右回転変化量を第４の負の値に設定し、前記左回転変化量を第４の正の値に設定する、回転方向判定部と、前記第２のタッチ操作が右回転の回転操作であるときに、現在の選択値に前記右回転変化量を加算して得られた値を変更後の新たな選択値とし、前記第２のタッチ操作が左回転の回転操作であるときに、現在の前記選択値に前記左回転変化量を加算して得られた値を変更後の新たな選択値とする選択値変更部と、前記タッチパネルにおける第３のタッチ操作にしたがって前記新たな選択値を現在の選択値に決定する選択値決定部とを有することを特徴としている。【０００９】
本発明の他の態様に係るタッチ入力判定方法は、タッチパネルにおけるタッチ操作によって選択値を変更及び決定するタッチ入力判定装置が行う方法であって、操作手を決定するための第１のタッチ操作に基づく信号を受け取り、前記第１のタッチ操作に基づく信号から、前記選択値の変更のための第２のタッチ操作を行う操作手が右手又は左手のいずれであるかを示す操作手情報を出力するステップと、前記選択値の変化方向が増加方向又は減少方向のいずれであるかを示す変化方向情報を受け取るステップと、前記操作手情報が示す操作手が左手であり前記変化方向情報が示す前記変化方向が増加方向である場合に、前記第２のタッチ操作が右回転の回転操作であるときの変化量である右回転変化量を第１の負の値に設定し、前記第２のタッチ操作が左回転の回転操作であるときの変化量である左回転変化量を第１の正の値に設定し、前記操作手情報が示す操作手が左手であり前記変化方向情報が示す前記変化方向が減少方向である場合に、前記右回転変化量を第２の正の値に設定し、前記左回転変化量を第２の負の値に設定し、前記操作手情報が示す操作手が右手であり前記変化方向情報が示す前記変化方向が増加方向である場合に、前記右回転変化量を第３の正の値に設定し、前記左回転変化量を第３の負の値に設定し、前記操作手情報が示す操作手が右手であり前記変化方向情報が示す前記変化方向が減少方向である場合に、前記右回転変化量を第４の負の値に設定し、前記左回転変化量を第４の正の値に設定する、ステップと、前記第２のタッチ操作が右回転の回転操作であるときに、現在の選択値に前記右回転変化量を加算して得られた値を変更後の新たな選択値とし、前記第２のタッチ操作が左回転の回転操作であるときに、現在の前記選択値に前記左回転変化量を加算して得られた値を変更後の新たな選択値とするステップと、前記タッチパネルにおける第３のタッチ操作にしたがって前記新たな選択値を現在の選択値に決定するステップとを有することを特徴としている。
【発明の効果】
【００１０】
本発明によれば、左利きのユーザ及び右利きのユーザのいずれのユーザも回転操作における不便を軽減することができるという効果がある。
【図面の簡単な説明】
【００１１】
【図１】本発明の実施の形態１に係るタッチパネル入力装置（タッチ入力判定装置を含む）の構成を概略的に示す機能ブロック図である。
【図２】実施の形態１に係るタッチパネル入力装置のハードウェア構成を示す図である。
【図３】実施の形態１におけるタッチパネルの操作画面の表示例を示す図である。
【図４】実施の形態１に係るタッチ入力判定装置の動作を示すフローチャートである。
【図５】実施の形態１に係るタッチ入力判定装置の操作手決定部の動作を示すフローチャートである。
【図６】実施の形態１におけるタッチパネルの表示例（操作手の決定の通知）を示す図である。
【図７】実施の形態１に係るタッチ入力判定装置の回転方向判定部の動作を示すフローチャートである。
【図８】（ａ）〜（ｄ）は、タッチパネル上における回転操作の一例を示す図である。
【図９】実施の形態１におけるタッチパネルの操作画面の表示例（現在の選択階）を示す図である。
【図１０】実施の形態１に係るタッチ入力判定装置の選択値変更部の動作を示すフローチャートである。
【図１１】実施の形態１におけるタッチパネルの操作画面の表示例（行先階）を示す図である。
【図１２】（ａ）〜（ｄ）は、タッチパネル上における回転操作の他の例を示す図である。
【発明を実施するための形態】
【００１２】
以下に、本発明の実施の形態に係るタッチ入力判定装置、タッチパネル入力装置、タッチ入力判定方法、及びタッチ入力判定プログラムを、添付図面を参照しながら説明する。以下の実施の形態は、例にすぎず、本発明の範囲内で種々の変更が可能である。
【００１３】
実施の形態に係るタッチパネル入力装置は、タッチ操作用の画面である操作画面を持つタッチパネルと、タッチパネルにおけるタッチ操作に基づく操作情報を受け取るタッチ入力判定装置とを具備している。実施の形態に係るタッチパネル入力装置は、設備又は機器に搭載され、選択値を変更及び決定し、決定された選択値を設備又は機器に提供することができる。
【００１４】
《１》実施の形態１
《１−１》構成
図１は、本発明の実施の形態１に係るタッチパネル入力装置１（タッチ入力判定装置１０を含む）の構成を概略的に示す機能ブロック図である。図１に示されるように、タッチパネル入力装置１は、タッチ入力判定装置１０と、タッチパネル２０とを具備している。タッチパネル２０は、ユーザによるタッチ操作を受け付ける操作パネル部（ユーザ操作部）２１と、操作パネル部２１に重ねて配置され、ユーザに操作画面などの画像を提供する表示パネル部（表示装置）２２とを備えている。タッチ入力判定装置１０は、実施の形態１に係るタッチ入力判定方法を実施することができる装置である。また、タッチ入力判定装置１０は、実施の形態１に係るタッチ入力判定プログラムを実行することができる装置である。
【００１５】
実施の形態１では、本発明がエレベータシステムの行先階の登録のための行先階の登録装置に適用された場合を説明する。この場合、タッチパネル入力装置１は、エレベータのかご内に備えられ、エレベータの搭乗者であるユーザによって使用される。ただし、タッチパネル２０をエレベータのかご内に備え、タッチ入力判定装置１０をエレベータのかごの外の設備であるエレベータ制御装置に搭載してもよい。
【００１６】
先ず、実施の形態１に係るタッチ入力判定装置１０の概要を説明する。タッチ入力判定装置１０においては、先ず、操作判定部１２は、ユーザの操作手を決定するためのタッチパネル２０における第１のタッチ操作（例えば、タップ又はダブルタップ）に基づく信号Ａ１を受け取り、第１のタッチ操作に基づく信号から、選択値の変更のための第２のタッチ操作（回転操作）を行う操作手が右手又は左手のいずれであるかを示す操作手情報を決定する。
【００１７】
また、操作判定部１２は、外部装置であるエレベータ制御装置から、選択値（行先階である選択階）の変化方向が増加方向（上昇）又は減少方向（下降）のいずれであるかを示す変化方向情報Ａ２を受け取る。この変化方向情報Ａ２は、エレベータに搭乗する前の登場予定者がエレベータのかごに搭乗する前に、エレベータの乗り場に設置された上り釦又は下り釦の操作に対応する情報である。つまり、上り釦が押されたときには、変化方向は増加方向であり、下り釦が押されたときには、変化方向は減少方向である。
【００１８】
操作判定部１２は、操作手情報が示す操作手が左手であり変化方向情報Ａ２が示す変化方向が増加方向である場合に、ユーザによる第２のタッチ操作（回転操作）が右回転の回転操作であるときの変化量である右回転変化量ＲＡＤＤを第１の負の値（例えば「−１」）に設定し、第２のタッチ操作が左回転の回転操作であるときの変化量である左回転変化量ＬＡＤＤを第１の正の値（例えば「＋１」）に設定する。ここで、変化量は、回転操作による回転角度が予め決められた角度に達する毎に選択値に加算される値である。また、操作判定部１２は、操作手情報が示す操作手が左手であり変化方向情報Ａ２が示す変化方向が減少方向である場合に、右回転変化量ＲＡＤＤを第２の正の値（例えば「＋１」）に設定し、左回転変化量ＬＡＤＤを第２の負の値に設定する（例えば「−１」）。
【００１９】
また、操作判定部１２は、操作手情報が示す操作手が右手であり変化方向情報Ａ２が示す変化方向が増加方向である場合に、右回転変化量ＲＡＤＤを第３の正の値（例えば「＋１」）に設定し、左回転変化量ＬＡＤＤを第３の負の値（例えば「−１」）に設定する。操作判定部１２は、操作手情報が示す操作手が右手であり変化方向情報Ａ２が示す変化方向が減少方向である場合に、右回転変化量ＲＡＤＤを第４の負の値（例えば「−１」）に設定し、左回転変化量ＬＡＤＤを第４の正の値（例えば「＋１」）に設定する。なお、第１から第４の正の値は、互いに異なる値であってもよい。また、第１から第４の負の値は、互いに異なる値であってもよい。
【００２０】
操作判定部１２は、第２のタッチ操作が右回転の回転操作であるときに、現在の選択値に右回転変化量ＲＡＤＤを加算して得られた値を変更後の新たな選択値とし、第２のタッチ操作が左回転の回転操作であるときに、現在の選択値に左回転変化量ＬＡＤＤを加算して得られた値を変更後の新たな選択値とする。
【００２１】
操作判定部１２は、タッチパネル２０における第３のタッチ操作にしたがって（例えば、第３のタッチ操作がダブルタップであるときに）、変更後の新たな選択値を、現在の選択値に決定する。
【００２２】
タッチパネル入力装置１又はタッチ入力判定装置１０を採用することにより、左利きのユーザは操作が容易な左回転の回転操作を行うが、操作がし難い右回転の回転操作を行う必要はほとんどない（ただし、選択値の変化方向を変更した場合には右回転の回転操作が必要になる場合がある）。また、右利きのユーザは操作が容易な右回転の回転操作を行うが、操作がし難い左回転の回転操作を行う必要はほとんどない（ただし、選択値の変化方向を変更した場合には左回転の回転操作が必要になる場合がある）。
【００２３】
次に、実施の形態１に係るタッチ入力判定装置１０の詳細を説明する。図１に示されるように、タッチ入力判定装置１０は、タッチ操作が行われたタッチパネル２０の操作パネル部２１から提供された操作情報Ａ０を受け取る操作情報入力部１１と、操作情報入力部１１から提供される操作情報Ａ０に基づく信号Ａ１を受け取り、信号Ａ１に基づいて選択値Ａ６を変更及び決定する操作判定部１２と、操作判定部１２から提供される通知情報Ａ３に基づく音声信号を音声出力装置（図２における４１）としてのスピーカに出力する通知部１８と、操作判定部１２から提供される画像情報Ａ４に基づく画像信号Ａ５をタッチパネル２０の表示パネル部（表示装置）２２に提供する表示制御部１９とを有している。
【００２４】
操作判定部１２は、操作種類判定部１３と、操作手決定部１４と、回転方向判定部１５と、選択値変更部１６と、選択値決定部１７とを有している。
【００２５】
操作情報入力部１１は、タッチパネル２０でユーザによって行われたタッチ操作に基づく操作情報Ａ０を受け取り、操作情報Ａ０に基づく信号Ａ１を操作判定部１２内の各機能ブロックに提供する。
【００２６】
操作種類判定部１３は、操作情報入力部１１から提供された操作情報Ａ０に基づく信号Ａ１を受け取り、ユーザによって行われたタッチ操作の種類及びタッチ操作の操作量を判定する。タッチ操作の種類は、例えば、タップ、ダブルタップ、回転操作などである。ここで、タップとは、タッチパネル２０の操作画面を指で軽く叩く操作であり、ダブルタップとは、タッチパネル２０の操作画面を指で２回軽く叩く操作である。また、回転操作は、タッチパネル２０の操作画面上で２本の指を円を描くように動かす操作である。回転操作は、後述の図８（ａ）〜（ｄ）に示される。また、タッチ操作がタップ又はダブルタップである場合における操作量は、例えば、タッチパネル２０に指が触れたときに２次元座標で表される範囲（接触している領域）である。回転操作の操作量は、例えば、タッチパネル２０上において円を描くように動かした指の回転角度である。この回転角度は、一連の回転操作における回転開始時における角度から回転終了時における角度までの変化量、すなわち、回転中心と回転開始点とを結ぶ第１の直線と回転中心と回転終了点とを結ぶ第２の直線とが成す角度である。なお、２本の指で行われる回転操作は、タッチパネル２０上で２本の指をそれぞれ異なる方向に移動させることで円を描く動作、又は、１本の指を円の中心位置で固定しながら、他方の指を移動させて円を描く動作である。
【００２７】
操作手決定部１４は、タッチパネル２０の操作画面上でユーザによって行われたタッチ操作（操作手を決定するための第１のタッチ操作）に基づいて、以降のユーザのタッチ操作（第２のタッチ操作である回転操作）が右手又は左手のいずれによって行われるのか、すなわち、ユーザが回転操作に使用する操作手は、右手であるか、左手であるかを決定する。
【００２８】
回転方向判定部１５は、操作手決定部１４で決定した操作手が左手であるか右手であるかを示す操作手情報と、タッチパネル入力装置１の外部の機器又は設備から入力される選択値の変化方向を示す情報とから、ユーザが行う第２の操作である左回転の回転操作時の選択値変化量である左回転変化量ＬＡＤＤと右回転の回転操作時の選択値変化量である右回転変化量ＲＡＤＤとを決定する。実施の形態１においては、選択値の変化方向の情報とは、エレベータの乗場で指定した行先方向（上階又は下階）の情報である。また、左回転の回転操作時の選択値変化量である左回転変化量及び右回転の回転操作時の選択値変化量である右回転変化量とは、階数の変化量である。
【００２９】
選択値変更部１６は、操作種類判定部１３にて、第２のタッチ操作が回転操作である場合、回転操作が左回転であるか右回転であるかを判定し、現在の選択値に選択値変化量を加算することで、変更後の新たな選択値を取得する。実施の形態１において、選択値は、行先階数である。
【００３０】
表示制御部１９は、選択値変更部１６にて、現在の選択値が変更後の新たな選択値に変更された場合、操作画面の表示を変更前の現在の選択値から変更後の新たな選択値に変更する。実施の形態１において、表示制御部１９は、タッチパネル２０及びエレベータの行先階を表示する液晶モニタなどに画像信号を送信する。
【００３１】
通知部１８は、選択値変更部１６によって現在の選択値が変更後の新たな選択値に変更されたときに、音声によって選択値を通知するための音声信号を音声出力装置（音声出力部）に送信する。また、通知部１８は、指による回転操作中に、回転操作を示す音（例えば、電話のダイヤルの回転音を模した音）を出力させるための音声信号を出力してもよい。
【００３２】
選択値決定部１７は、操作種類判定部１３において操作情報入力部１１から入力された操作情報から、操作がダブルタップであった場合、選択値変更部１６で得られた変更後の新たな選択値を、新たな現在の選択値として決定する。実施の形態１においては、エレベータの選択階を行先階として決定する。
【００３３】
図２は、実施の形態１に係るタッチパネル入力装置１のハードウェア（Ｈ／Ｗ）構成を示す図である。タッチパネル２０は、複数の指の接触を検知し、操作情報（各指の識別情報、指の接触位置の座標情報、指の接触状態を示す情報など）を生成することができる。プロセッサ３１がメモリ３２に記憶されているソフトウェアであるプログラム（タッチ操作判定プログラム）を実行することにより、タッチ入力判定装置１０の各構成の機能が実現される。表示装置２２が、プロセッサ３１の命令に基づく動作を行うことにより、表示制御部１９が実現される。音声出力装置４１が、プロセッサ３１の命令に基づく動作を行うことにより、通知部１８が実現される。
【００３４】
図３は、実施の形態１に係るタッチパネル入力装置１のタッチパネル２０の操作画面の一例を示す図である。図３において、タッチパネル２０の操作画面には、現在の選択階が文字で表示されている。実施の形態１では、タッチパネル２０の操作画面上でユーザは手４０（通常は、指）を使って操作画面上でタッチ操作を行う。
【００３５】
《１−２》動作
図４は、実施の形態１に係るタッチパネル入力装置１及びタッチ入力判定装置１０が行う処理を示すフローチャートである。
【００３６】
図１及び図４に示されるように、先ず、図４のステップＳ１１において、操作手決定部１４は、ユーザが回転操作（第２のタッチ操作）に使用する操作手が右手であるか左手であるかを決定し、決定された操作手（右手又は左手）を示す通知情報を通知部１８に提供し、通知部１８から通知情報に基づく通知信号を音声出力装置４１に提供する。通知部１８は、音声出力装置４１のスピーカから、タッチ操作に関する情報のアナウンスを出力させる。
【００３７】
ステップＳ１１の処理は、図５を使って具体的に説明される。図５は、実施の形態１における操作手決定部１４が行う処理を示すフローチャートである。
【００３８】
先ず、通知部１８により、ユーザに対して操作手の指定方法を通知する（ステップＳ１１１）。例えば、通知部１８は、音声出力装置４１から、音声にて操作手の指定方法をアナウンスさせる。アナウンスの内容は、例えば、「操作する手を決定します。右手で操作したい場合は、タップして下さい。左手で操作したい場合は、ダブルタップして下さい。」である。ただし、操作手と操作手を決定するための操作方法との組合せは、上記の例に限定されない。例えば、右手で操作したい場合を、ダブルタップとし、左手で操作した場合を、タップとしてもよい。あるいは、操作手を決定するための操作方法として、タップ及びダブルタップ以外の操作を採用してもよい。
【００３９】
次に、図４のステップＳ１２において、操作情報入力部１１は、タッチパネル２０で行われたタッチ操作に基づく操作情報Ａ０を取得する。
【００４０】
次に、図４のステップＳ１３において、操作種類判定部１３は、操作情報入力部１１から操作情報Ａ０に基づく信号Ａ１を受け取り、タッチ操作がタップであるか否かを判断する。
【００４１】
次に、操作情報Ａ０に基づく信号Ａ１からタッチ操作がタップであると判断した場合（ステップＳ１１３においてＹＥＳ）、操作手決定部１４は、操作手は右手である、と決定する（ステップＳ１１５）。
【００４２】
操作情報Ａ０に基づく信号Ａ１からタッチ操作がタップではないと判断した場合（ステップＳ１１３においてＮＯ）、操作種類判定部１３は、タッチ操作がダブルタップであるか否かを判断する（ステップＳ１１４）。
【００４３】
操作情報Ａ０に基づく信号Ａ１からタッチ操作がダブルタップであると判断した場合（ステップＳ１１４においてＹＥＳ）、操作手決定部１４は、操作手は左手である、と決定する（ステップＳ１１６）。
【００４４】
操作情報Ａ０に基づく信号Ａ１からタッチ操作がダブルタップではないと判断した場合（ステップＳ１１４においてＮＯ）、操作手決定部１４は、操作手は右手であると決定する（ステップＳ１１７）。
【００４５】
最後に、通知部１８及び表示制御部１９の少なくとも一方は、ステップＳ１１５、ステップＳ１１６、ステップＳ１１７で決定した操作手をユーザに対して通知するため、音声信号又は画像信号を出力する（ステップＳ１１８）。例えば、通知部１８が音声出力装置から音声によるアナウンスをさせる。あるいは、表示制御部１９は、タッチパネル２０の操作画面に操作手が決定されたことを通知するメッセージを表示させてもよい。図６は、操作手を決定したことを通知するメッセージの表示例を示す図である。
【００４６】
次に、図４のステップＳ１２において、回転方向判定部１５、操作手決定部１４にて決定した手の情報と選択値の変化方向の情報から回転操作の回転方向による選択値変化量を決定し、通知部１８にて音声により回転方向を通知する。
【００４７】
次に図７を使って本実施の形態の回転方向判定部１５の具体的な処理について説明する。図７は、実施の形態１の回転方向判定部の処理を示すフローチャートである。図８（ａ）〜（ｄ）は、タッチパネル２０上における２本指による回転操作を示す図である。
【００４８】
先ず、操作手決定部１４で決定した操作手の情報から操作手が左手か否かを判断する（ステップＳ１２１）。
【００４９】
次に、操作手が左手であった場合、選択値の変化方向が加算であるか減算であるかを判断する（ステップＳ１２２）。
【００５０】
選択値の変化方向が加算の場合、右回転操作時の変化量である右回転変化量ＲＡＤＤを「−１」、左回転操作時の変化量である左回転変化量ＬＡＤＤを「−１」と決定し、決定された値を記憶部（例えば、メモリ３２）に記憶する（ステップＳ１２４）。
【００５１】
選択値の変化方向が減算の場合、右回転操作時の変化量である右回転変化量ＲＡＤＤを「＋１」、左回転操作時の変化量である左回転変化量ＬＡＤＤを「−１」と決定し、決定された値を記憶部（例えば、メモリ３２）に記憶する（ステップＳ１２５）。
【００５２】
次に、操作手が右手であった場合、選択値の変化方向が加算であるか減算であるかを判断する（ステップＳ１２３）。
【００５３】
選択値の変化方向が加算の場合、右回転操作時の変化量である右回転変化量ＲＡＤＤを「＋１」、左回転操作時の変化量である左回転変化量ＬＡＤＤを「−１」と決定し、決定された値を記憶部（例えば、メモリ３２）に記憶する（ステップＳ１２６）。
【００５４】
選択値の変化方向が減算の場合、右回転操作時の変化量である右回転変化量ＲＡＤＤを「−１」、左回転操作時の変化量である左回転変化量ＬＡＤＤを「＋１」と決定し、決定された値を記憶部（例えば、メモリ３２）に記憶する（ステップＳ１２７）。
【００５５】
例えば、操作手決定部１４で決定した操作手が右手であり、選択値の変化方向であるエレベータの行先方向が上階である場合、操作手決定部１４は、左回転変化量ＬＡＤＤが「−１」、右回転変化量ＲＡＤＤが「＋１」と決定する。
【００５６】
次に、図４のステップＳ１３において、操作情報入力部１１がタッチパネル２０から操作情報Ａ０を取得する。
【００５７】
次に、図４のステップＳ１４において、操作種類判定部１３は、操作情報入力部１１から取得した操作情報Ａ０に基づく信号Ａ１から、操作の種類及び操作量を判定する。
【００５８】
次に、図４のステップＳ１５において、操作の種類が回転操作である場合、処理はステップＳ１６へ進む。操作の種類が、回転操作で無い場合、処理はステップＳ１８へ進む。
【００５９】
図４のステップＳ１６では、選択値変更部１６が、回転方向判定部１５にて決定した回転操作の回転方向に応じて現在の選択値を変更するとともに表示制御部１９に対して表示装置２０４のタッチパネル２０の操作画面に表示されている現在の選択値を変更するように指示する。図９は、実施の形態１の現在の選択階を表示しているタッチパネル２０の操作画面の例を示す図である。
【００６０】
次に、実施の形態１における選択値変更部１６の処理について説明する。図１０は、実施の形態１における選択値変更部１６の処理を示すフローチャートである。
【００６１】
先ず、選択値変更部１６は、操作種類判定部１３から得られた回転操作（第２の操作）の方向が右回転であるか否かを判定し（ステップＳ１６１）、回転操作の方向が右回転であれば（ステップＳ１６１においてＹＥＳ）、処理をステップＳ１６２に進め、回転操作の方向が左回転であれば（ステップＳ１６１においてＮＯ）、処理をステップＳ１６３に進める。
【００６２】
回転操作の方向が右回転であれば（ステップＳ１６１においてＹＥＳ）、現在の選択値ＳＥＬＦＬＲに右回転変化量ＲＡＤＤを加算することで、変更後の現在の選択値（新たな選択値）ＳＥＬＦＬＲを算出する（ステップＳ１６２）。例えば、現在の選択値ＳＥＬＦＬＲが「１４」であり、右回転変化量ＲＡＤＤが「＋１」であるならば、算出された変更後の現在の選択値ＳＥＬＦＬＲは「１５」となる。現在の選択値が現在の選択階であり、右回転変化量ＲＡＤＤを右回転操作時の階数変化量とすると、現在の選択階が「１４階」であり、右回転操作を行うと、更新後の現在の選択階が「１５階」になる。
【００６３】
回転操作の方向が左回転であれば（ステップＳ１６１においてＮＯ）、現在の選択値ＳＥＬＦＬＲに左回転変化量ＬＡＤＤを加算することで、変更後の現在の選択値（新たな選択値）ＳＥＬＦＬＲを算出する（ステップＳ１６３）。例えば、現在の選択値ＳＥＬＦＬＲが「１４」であり、左回転変化量ＬＡＤＤが「−１」であるならば、算出された変更後の現在の選択値ＳＥＬＦＬＲは「１３」となる。現在の選択値が現在の選択階であり、左回転変化量ＬＡＤＤを左回転操作時の階数変化量とすると、現在の選択階が「１４階」であり、左回転操作を行うと、変更後の現在の選択階が「１３階」になる。
【００６４】
図４のステップＳ１８では、タッチ操作の種類がダブルタップである場合（ステップＳ１８においてＹＥＳ）、処理はステップＳ１９に進み、操作の種類がダブルタップでない場合（ステップＳ１８においてＮＯ）、処理はステップＳ１３に戻り、再び、操作情報を取得する。
【００６５】
図４のステップＳ１９では、現在の選択値を決定値として決定する。例えば、エレベータの行先階の登録装置のタッチパネル上でダブルタップを行うことにより、現在の選択階が行先階として決定される。
【００６６】
最後に、図４のステップＳ２０では、表示制御部１９がタッチパネル２０の表示パネル部２２の操作画面に決定値が決定したことを表示するとともに、通知部１８が音声出力装置３３を使って決定値が決定したことを音声により通知する。図１１は、実施の形態１の決定値が決定後のタッチパネル２０の操作画面の表示例を示す図である。
【００６７】
《１−３》効果
以上に説明したように、実施の形態１によれば、例えば、エレベータの行先階の登録装置において、操作手（左手又は右手）とユーザが望んだ行先階の方向（選択値の変化方向）とから、ユーザの操作手が回転操作し易い方向と、行先階の方向を一致させることにより、ユーザが回転操作で感じる不便さを軽減することができるという効果がある。つまり、実施の形態１によれば、左利きのユーザは操作が容易な左回転の回転操作を行うが、操作がし難い右回転の回転操作を行う必要はほとんどなく、また、右利きのユーザは操作が容易な右回転の回転操作を行うが、操作がし難い左回転の回転操作を行う必要はほとんどなくなる。
【００６８】
また、選択階を変更中又は決定後に音声により通知を行うことにより、操作画面を見なくとも操作が可能となり、他の作業に集中しているユーザ又は視覚障がい者による操作が可能であるという効果がある。
【００６９】
《２》変形例
実施の形態１では、タッチパネル入力装置１をエレベータシステムにおける行先階の登録装置に適用した場合を説明したが、本発明は、エレベータシステムの適用に限定されるものではない。本発明は、例えば、タッチパネルを使った回転操作による音量操作などのような他の機器又は設備に適用可能である。
【００７０】
特に、本発明は、タッチパネル２０を見ずにタッチパネル２０の操作画面のほぼ全域を使用して行われるタッチ操作（例えば、回転操作、タップ、ダブルタップなど）が要求される設備又は機器に適用することが効果的である。タッチパネル入力装置１は、タッチパネル２０を見ないで行うことができるタッチ操作を受け付けることができるので、他の作業を行いながらタッチパネル２０を操作する場合又は視覚障がい者がタッチパネル２０を操作する場合などに、好適である。
【００７１】
また、実施の形態１においては、図８（ａ）〜（ｄ）に示されるように、回転操作が、タッチパネル２０上で、２本の指で回転式ダイヤル（回転式つまみ）を回転させるようにし円を描く動作である場合を説明したが、図１２（ａ）〜（ｄ）に示されるように、回転操作をタッチパネル２０上で１本の指（又は３本以上の指）で行ってもよい。
【００７２】
また、実施の形態１においては、タッチパネル入力装置１におけるタッチパネル２０の画面全体を入力範囲として設定する動作モード（画面全体操作モード）の場合を説明したが、タッチパネル２０の画面に表示された表示部品（ＧＵＩ）を操作する動作モード（表示部品操作モード）と、画面全体操作モードとを切り替え可能に構成してもよい。
【符号の説明】
【００７３】
１  タッチパネル入力装置、  １０  タッチ入力判定装置、  １１  操作情報入力部、  １２  操作判定部、  １３  操作種類判定部、  １４  操作手決定部、  １５  回転方向判定部、  １６  選択値変更部、  １７  選択値決定部、  １８  通知部、  １９  表示制御部、  ２０  タッチパネル、  ２１  操作パネル部、  ２２  表示パネル部（表示装置）、  ３１  プロセッサ、  ３２  メモリ、  ４１  音声出力装置。
【図１】
0006548852.tif 000002
【図２】
0006548852.tif 000003
【図３】
0006548852.tif 000004
【図４】
0006548852.tif 000005
【図５】
0006548852.tif 000006
【図６】
0006548852.tif 000007
【図７】
0006548852.tif 000008
【図８】
0006548852.tif 000009
【図９】
0006548852.tif 000010
【図１０】
0006548852.tif 000011
【図１１】
0006548852.tif 000012
【図１２】
0006548852.tif 000013